(57)【要約】【課題】絶縁皮膜の施された部材でシールドするための筐体を構成する場合にも、不要な電磁波の漏洩を低減することのできるプラズマディスプレイ装置を提供する。【解決手段】パネル１の前面側に配置された電磁波遮断フィルタ２４と、電磁波遮断フィルタ２４に電気的に接続されかつパネル１の周縁部に配置された金属部材２５と、金属部材２５に導電性のガスケット２３を介在させて電気的に接続されかつパネル１の背面側を覆うように配置されるバックケース１８とを備え、金属部材２５のバックケース１８に接続される部分にバックケース１８側に突出する凸部と、バックケース１８の金属部材２５と接続される部分に凸部に間隙をあけて隣接するように金属部材２５側に突出する凸部とを設け、かつ金属部材２５の凸部とバックケース１８の凸部の間隙にガスケット２３を凸部の側面部と電気的に接続されるように配置したプラズマディスプレイ装置。【選択図】図３
2008256776.tif 000002
【特許請求の範囲】
【請求項１】
プラズマディスプレイパネルの前面側にプラズマディスプレイパネルの表示面全体に対向するように配置された電磁波遮断フィルタと、
前記電磁波遮断フィルタに電気的に接続されかつ前記プラズマディスプレイパネルの周縁部に配置される金属部材と、
前記金属部材に導電性のガスケットを介在させて電気的に接続されかつ前記プラズマディスプレイパネルの背面側を覆うように配置されるバックケースとを備え、
前記金属部材の前記バックケースに接続される部分にバックケース側に突出する凸部を設けるとともに、前記バックケースの前記金属部材と接続される部分に前記凸部に間隙をあけて隣接するように前記金属部材側に突出する凸部を設け、かつ前記金属部材の凸部と前記バックケースの凸部の間隙に前記ガスケットを前記凸部の側面部と電気的に接続されるように配置したことを特徴とするプラズマディスプレイ装置。
【請求項２】
前記金属部材の凸部と前記バックケースの凸部は、前記金属部材と前記バックケースにスリット孔を設けて一部を切起こすことにより形成したことを特徴とする請求項１に記載のプラズマディスプレイ装置。
【請求項３】
前記ガスケットの厚さは、前記金属部材の凸部と前記バックケースの凸部の少なくとも一方の凸部の厚さよりも厚いことを特徴とする請求項１に記載のプラズマディスプレイ装置。
【発明の詳細な説明】
【技術分野】
【０００１】
本発明は、プラズマディスプレイ装置に関し、特に不要な電磁波の輻射が外部に漏れることを抑制したプラズマディスプレイ装置に関する。
【背景技術】
【０００２】
プラズマディスプレイ装置は、プラズマディスプレイパネル（以下、「パネル」と略記する）とそれを駆動する回路が配置された回路基板とを備える。パネルの駆動回路は、デジタル信号処理回路を含むため電磁波を発生しやすく、パネル自体も電磁波を発生する。
【０００３】
プラズマディスプレイ装置から電磁波が漏れ出すと、他の電子機器などに悪影響を与える恐れがあるために、ＶＣＣＩ（情報処理装置等電波障害自主規制協議会）は３０ＭＨｚから１ＧＨｚまでの周波数範囲で、妨害を与える電磁波の電界強度について自主規制の許容値を定めている。このような自主規制を遵守して、不要な電磁波が漏れないようにするために、プラズマディスプレイ装置はパネルやその駆動回路などの電磁波の発生源をシールドするための筐体に納められている。
【０００４】
そのようなシールドするための筐体は、電磁波遮断フィルタを備えたフロントケースや金属製のバックケースなどから構成される。電磁波遮断フィルタはパネルの前面に配置され、画像表示を可能にするために透明であって、金属メッシュ層などによってプラズマディスプレイ装置の前面側に輻射される電磁波を低減する役割を果たす。また、金属製のバックパネルは、背面側への不要輻射を低減する役割を果たす。そして、それらの部材をねじ締めなどによって固定し、電磁波のシールド効果を得ていた。しかし、それらの部材を接合した隙間などから、不要な電磁波が漏れ出す恐れがあった。
【０００５】
このような課題を解決するために、金属製のバックパネルのねじ締め部に、短冊状に細かく分割されて形成された金属製の弾性体である櫛状板ばねを用いる方法が開示されている（例えば、特許文献１参照）。
【特許文献１】特開２００５−７２５１７号公報  このように、電磁波を輻射するパネルなどを筐体に納めて電磁波の漏洩を抑制するためには、電磁波のシールド効果を高めるためにプラズマディスプレイ装置の全体を金属製の導体や電磁波遮断フィルタなどで覆う必要がある。そしてシールドするための筐体を構成する部材のそれぞれが電気的に確実に接続されることにより、シールド効果は良好に保たれる。
【発明の開示】
【発明が解決しようとする課題】
【０００６】
しかしながら、上記従来のプラズマディスプレイ装置においては、短冊状に細かく分割されて形成された金属製の弾性体である櫛状板ばねを、金属製のバックパネルとは別の部品で構成して嵌め込むために、塗装や亜鉛溶融メッキなどの絶縁皮膜がシールドを構成する部材に施されているとその絶縁皮膜によって部材間の電気的接続が阻害されて、シールド効果が保てないという課題を有していた。
【０００７】
本発明は、このような課題を解決するものであり、絶縁皮膜の施された部材でシールドするための筐体を構成する場合にも、不要な電磁波の漏洩を低減することのできるプラズマディスプレイ装置を提供することを目的とする。
【課題を解決するための手段】
【０００８】
上記課題を解決するために本発明のプラズマディスプレイ装置は、パネルの前面側にパネルの表示面全体に対向するように配置された電磁波遮断フィルタと、電磁波遮断フィルタに電気的に接続されかつパネルの周縁部に配置される金属部材と、金属部材に導電性のガスケットを介在させて電気的に接続されかつパネルの背面側を覆うように配置されるバックケースとを備え、金属部材のバックケースに接続される部分にバックケース側に突出する凸部を設けるとともに、バックケースの金属部材と接続される部分に凸部に間隙をあけて隣接するように金属部材側に突出する凸部を設け、かつ金属部材の凸部とバックケースの凸部の間隙にガスケットを凸部の側面部と電気的に接続されるように配置したことを特徴とする。
【０００９】
このような構成により、バックケースと金属部材とは、それぞれの凸部の側面がガスケットを通じて接触し、電気的に接続するので、不要な電磁波の漏洩を低減できるという効果が得られる。
【００１０】
また、金属部材の凸部とバックケースの凸部は、金属部材とバックケースにスリット孔を設けて一部を切起こすことにより形成し、金属部材の凸部とバックケースの凸部によってガスケットを挟持するようにガスケットと凸部の側面部とを電気的に接続することにより、ガスケットと凸部が確実に電気的に接続され、これにより金属部材とバックケースとをガスケットを介して良好に電気的に接続できることとなる。
【００１１】
また、ガスケットの厚さは、金属部材の凸部とバックケースの凸部の少なくとも一方の凸部の厚さよりも厚く構成しておくことにより、金属部材とバックケースとをねじ締めなどにより固定した際に、ガスケットが扁平に押しつぶされてより良好な電気的接続状態を得ることができる。
【発明の効果】
【００１２】
本発明によれば、不要な電磁波の漏洩を低減することのできるプラズマディスプレイ装置を提供することができる。
【発明を実施するための最良の形態】
【００１３】
以下、本発明の実施の形態について、図面を用いて詳細に説明する。
【００１４】
図１は本発明の一実施の形態におけるプラズマディスプレイ装置のパネル１の概略斜視図である。パネル１は、対向配置された前面基板２と背面基板３との間に複数の放電セルが形成されている。前面基板２上には、誘電体層４及び保護層５で覆われた走査電極６と維持電極７とからなる表示電極対８が平行して複数配列されている。走査電極６は可視光を透過する透明電極９と電極の抵抗を低くする役割を果たすバス電極１０とから構成されている。同様に維持電極７も透明電極１１とバス電極１２とから構成されている。
【００１５】
背面基板３上には、表示電極対８に直交する方向に下地誘電体層１３に覆われた複数のデータ電極１４が互いに平行して配列されている。隣り合うデータ電極１４の間には、放電空間を区画するための隔壁１５が設けられている。そして下地誘電体層１３上や隔壁１５の側面には、蛍光体層１６が形成されている。放電セルには、放電によって紫外線を放射するガスとして例えばネオンやキセノンなどが封入されている。そして、放電セル内での放電により発生する紫外線によって蛍光体層１６が励起され、可視光を発生し映像を表示する。
【００１６】
パネル１を駆動するには、１フィールド期間を複数のサブフィールドに分割する方法を用いる。各サブフィールドは、それぞれ初期化期間と書込み期間と維持期間とから構成されている。初期化期間では、放電セルの初期化放電を行い、引き続いて行われる書込み期間に必要な壁電荷を形成する。書込み期間では、走査電極６とデータ電極１４とに書込みパルスを印加して放電させるべき放電セルに選択的に壁電荷を形成する。続いて維持期間では、走査電極６と維持電極７との間に維持パルスを印加して放電セルを放電させ発光させる。
【００１７】
維持期間では、表示される画像により異なるが、平均的には表示電極対８全体で約２００Ａｐ−ｐの電流が流れる。また維持期間の放電の繰り返し周波数は、約２００ｋＨｚから２５０ｋＨｚ程度に設計されている。したがって、このようなパネル１の駆動に伴って、前面基板２及び背面基板３から、強い電磁波が輻射している。
【００１８】
図２は同プラズマディスプレイ装置の筐体の構成を示す分解斜視図である。プラズマディスプレイ装置の筐体は、フロントケース１７とバックケース１８とから構成されている。筐体内には、パネル１やシャーシ部材１９などが収納されている。アルミニウム製のシャーシ部材１９の前面には、熱伝導シート２０を介してパネル１が接着されている。また、シャーシ部材１９の後面には、パネル１を駆動するための複数の回路基板２１が取り付けられている。回路基板２１は複数のフレキシブルプリント配線板（図示せず）を用いて、パネル１に接続されている。そして回路基板２１には、パネル１を駆動するためのＣＭＯＳ−ＬＳＩチップなどからなる信号処理回路が設けられている。
【００１９】
この回路基板２１に設けられた信号処理回路はデジタル回路で構成されており、高い周波数のデジタルクロックによって動作するために、約２００ＭＨｚから１ＧＨｚにわたってデジタルクロックの高調波成分を生じやすい。このようにパネル１を駆動するために高速のデジタル信号処理を行うので、回路基板２１から不要な電磁波が輻射している。
【００２０】
また金属製のバックケース１８はプラズマディスプレイ装置の背面側にパネル１の背面側を覆うように取り付けられ、これによりプラズマディスプレイ装置の背面側への不要な電磁波の輻射が低減されている。このバックケース１８の外周部には、シャーシ部材１９にバックケース１８を取り付けるための複数の穴２２が形成され、ガスケット２３を介在してねじ止めされている。ガスケット２３については後述する。
【００２１】
図３は同プラズマディスプレイ装置の筐体の構成を示す要部断面図である。パネル１の前面側のフロントケース１７の前面には、パネル１の表示面全体に対向するようにガラスや金属メッシュ層などからなる電磁波遮断フィルタ２４が設けられている。電磁波遮断フィルタ２４は一定範囲の可視光を吸収してコントラスト改善を行うとともに、パネル１などによって発生し、輻射する電磁波を吸収する遮断フィルタの役割を果たす。このためプラズマディスプレイ装置の前面側への不要な電磁波の輻射は、電磁波遮断フィルタ２４によって低減されている。
【００２２】
フロントケース１７に電磁波遮断フィルタ２４を固定する金属部材２５は、フロントケース１７の内側にパネル１の周縁部に側面を覆うように設けられ、金属部材２５と電磁波遮断フィルタ２４とは、電磁波遮断フィルタ用ガスケット２６により電気的に接続されており、これによりプラズマディスプレイ装置の側面側への電磁波の不要な輻射は低減されている。金属部材２５はねじ２７により、バックケース１８と共に、シャーシ部材１９にガスケット２３を介在して固定されている。ガスケット２３は、導電性材料２３ａで被覆された弾性材料２３ｂからなる略長方形の枠体であり、導電性材料２３ａを通じ、金属部材２５とバックケース１８とは電気的に接続されている。
【００２３】
次に、図４を用いて金属部材２５とバックケース１８のガスケット２３との接続の仕方について説明する。図４（ａ）は、図２におけるバックケース１８側から見たバックケース１８のコーナー部の斜視図である。また、図４（ｂ）は図４（ａ）におけるＡ−Ａ線の断面図、図４（ｃ）は図４（ａ）におけるＢ−Ｂ線の断面図である。バックケース１８と金属部材２５とはねじ２７によって、シャーシ部材１９に固定されており、ガスケット２３は金属部材２５とバックケース１８とに挟持されている。バックケース１８の一部は、バックケース１８に連結され、かつ凸形状を有して突出したバックケース凸部１８ａを有し、バックケース凸部１８ａの側面は、ガスケット２３と接触している。また、同様にして金属部材２５の一部は、金属部材２５に連結されている金属部材凸部２５ａを有し、金属部材凸部２５ａの側面は、ガスケット２３と接触している。バックケース凸部１８ａと金属部材凸部２５ａは、ガスケット２３に対向する位置に設けられている。また、ガスケット２３は、図２に示すように、バックケース１８の外周部全体にわたって設けられている。
【００２４】
次に、図５を用いて、バックケース１８と金属部材２５とをガスケット２３を介して接続する方法について詳細に説明する。まず、図５（ａ）に示すように、バックケース１８の穴２２の近傍にお互いに平行した２本のスリット孔２８を形成する。このスリット孔２８は、幅１ｍｍ、長さ２０ｍｍ程度で、バックケース１８を貫通させることで形成する。
【００２５】
次に図５（ｂ）に示すように、バックケース１８に形成した２本のスリット孔２８に挟まれた部分を凸状に延展加工を行って一部を切起こすことにより、バックケース凸部１８ａを形成する。延展は、金属部材２５と接触させる面が凸形状になるように行う。
【００２６】
次に図５（ｃ）に示すように、ガスケット２３をバックケース１８の上に載置する。このとき、ガスケット２３がバックケース凸部１８ａの側面と接触するようにする。
【００２７】
次に図５（ｄ）に示すように、ガスケット２３が載置されたバックケース１８と金属部材２５とを接触させる。このとき、金属部材２５の一部についても予め延展加工によって一部を切起こすことにより、バックケース１８と接触させる面が凸形状になるようにして金属部材凸部２５ａを形成しておく。この金属部材凸部２５ａとバックケース凸部１８ａとは、間隙をあけて隣接するように形成しており、バックケース凸部１８ａと金属部材凸部２５ａは、ガスケット２３を介して対向する位置に来るように位置合わせを行い、穴２２を通じてねじ２７で固定する。
【００２８】
図５（ｅ）は、ねじ２７で固定した後の斜視図である。金属部材２５とバックケース１８とをねじ締めによって固定することにより、金属部材２５とバックケース１８との間隙が狭くなり、それにしたがって、ガスケット２３は、幅方向に押し拡げられる。これにより、金属部材凸部２５ａの側面とガスケット２３とは確実に接触し、また、バックケース凸部１８ａの側面とガスケット２３も同様になるため、金属部材２５とバックケース１８とが電気的に確実に接続する。このときのガスケット２３の厚さは、金属部材凸部２５ａとバックケース凸部１８ａの厚さより厚くすることで、ねじ締めによりガスケット２３が扁平に押しつぶされてより良好な電気的接続状態を得ることができる。
【００２９】
なお、金属部材凸部２５ａとバックケース凸部１８ａとは、対向する位置でガスケット２３を挟持する例で説明したが、ガスケット２３との接触を行うことができれば、必ずしも対向する位置で挟持する必要はない。
【００３０】
また、金属部材２５とバックケース１８とをねじ締めによって行う例を述べたが、ガスケット２３を挟持して固定する方法であれば、ねじ締めに限定されるものではない。
【００３１】
本発明によれば、金属部材２５やバックケース１８で筐体を構成する場合において、これらの表面に絶縁皮膜が施されていても、確実に電気的な接触を実現することができるため、不要な電磁波の漏洩を低減することのできるプラズマディスプレイ装置を提供することができる。
【産業上の利用可能性】
【００３２】
本発明によれば、不要な電磁波の漏洩の低減が可能になり、プラズマディスプレイ装置に有用である。
【図面の簡単な説明】
【００３３】
【図１】本発明の一実施の形態におけるプラズマディスプレイ装置のパネルの概略斜視図
【図２】同プラズマディスプレイ装置の筐体の構成を示す分解斜視図
【図３】同プラズマディスプレイ装置の筐体の構成を示す要部断面図
【図４】（ａ）バックケース側から見たバックケースのコーナー部の斜視図、（ｂ）図４（ａ）におけるＡ−Ａ線の断面図、（ｃ）図４（ａ）におけるＢ−Ｂ線の断面図
【図５】バックケースと金属部材とをガスケットを介して接続する詳細説明図
【符号の説明】
【００３４】
１    パネル
２    前面基板
３    背面基板
４    誘電体層
５    保護層
６    走査電極
７    維持電極
８    表示電極対
９、１１    透明電極
１０、１２    バス電極
１３    下地誘電体層
１４    データ電極
１５    隔壁
１６    蛍光体層
１７    フロントケース
１８    バックケース
１８ａ    バックケース凸部
１９    シャーシ部材
２０    熱伝導シート
２１    回路基板
２２    穴
２３    ガスケット
２３ａ    導電性材料
２３ｂ    弾性材料
２４    電磁波遮断フィルタ
２５    金属部材
２５ａ    金属部材凸部
２６    電磁波遮断フィルタ用ガスケット
２７    ねじ
２８    スリット孔
【図１】
2008256776.tif 000003
【図２】
2008256776.tif 000004
【図３】
2008256776.tif 000005
【図４】
2008256776.tif 000006
【図５】
2008256776.tif 000007